(57)【要約】  【課題】  入力端子への接続を正確、簡単且つ安全に行える受信装置を提供する。  【解決手段】  入力端子切換回路１０側では、入力端子１１から入力される信号を分波器１３で衛星放送の帯域信号と地上放送の帯域信号とに分波する。スイッチＳＷ１は、分波器１３の地上放送の帯域信号の出力側と入力端子１２とから、複数の放送信号を受信するチューナ部と復調部等とで構成されるユニバーサルフロントエンド２０に、選択的に信号が供給されるように接続を切り換える。ユニバーサルフロントエンド２０は、入力端子切換回路１０側から供給される信号から衛星放送信号または地上放送信号を各々検出する。制御部３０は、ユニバーサルフロントエンド２０での検出結果に基づきスイッチＳＷ１を適切に制御する。【選択図】        図１
2006197446.tif 000002
【特許請求の範囲】
【請求項１】
第１の入力端子および第２の入力端子と、上記第１の入力端子および／または上記第２の入力端子から入力される複数種類の放送信号を受信可能な受信部とを備える受信装置であって、
上記第１の入力端子から入力される信号を第１の帯域の信号と第２の帯域の信号とに分波する分波器と、
上記分波器の上記第２の帯域の信号の出力側と上記第２の入力端子とから選択的に上記受信部に信号が供給されるように接続を切り換えるスイッチと、
上記受信部に供給される信号から上記第１の帯域および上記第２の帯域を用いる放送信号を各々検出する検出手段と、
上記検出手段の検出結果に基づき上記スイッチを制御する制御手段とを有することを特徴とする受信装置。
【請求項２】
請求項１において、
上記検出手段は、各放送の同期信号を放送信号の検出に用いることを特徴とする受信装置。
【請求項３】
請求項１において、
さらに、上記第１の帯域を用いる放送信号と上記第２の帯域を用いる放送信号とを混合した１軸伝送システム信号の入力を行うか否かを予め設定可能な設定手段を有しており、上記設定手段で１軸伝送システム信号の入力を行うと設定されている場合には、上記制御手段が上記分波器の上記第２の帯域の信号の出力側から上記受信部に信号が供給されるように上記スイッチを制御し、上記設定手段で１軸伝送システム信号の入力を行わないと設定されている場合には、上記制御手段が上記第２の入力端子から上記受信部に信号が供給されるように上記スイッチを制御することを特徴とする受信装置。
【請求項４】
請求項３において、
上記設定手段で１軸伝送システム信号の入力を行うと設定されていて、上記第１の帯域を用いる放送信号のみが検出された場合には、上記制御手段が上記第２の入力端子から上記受信部に信号が供給されるように上記スイッチを制御し、上記設定手段で１軸伝送システム信号の入力を行わないと設定されていて、上記第１の帯域を用いる放送信号のみが検出された場合には、上記制御手段が上記分波器の上記第２の帯域の信号の出力側から上記受信部に信号が供給されるように上記スイッチを制御することを特徴とする受信装置。
【請求項５】
請求項４において、
接続が間違っている可能性がある旨をユーザに通知することを特徴とする受信装置。
【請求項６】
第１の入力端子および第２の入力端子と、上記第１の入力端子および／または上記第２の入力端子から入力される複数種類の放送信号を受信可能な受信部とを備える受信装置であって、
上記第１の入力端子から入力される信号を分配する第１の分配器と、
上記第２の入力端子から入力される信号を分配する第２の分配器と、
上記第１の分配器の一方の出力側と上記第２の分配器の一方の出力側とから選択的に上記受信部に信号が供給されるように接続を切り換える第１のスイッチと、
上記第１の分配器の他方の出力側と上記第２の分配器の他方の出力側とから選択的に上記受信部に信号が供給されるように接続を切り換える第２のスイッチと、
上記受信部に供給される信号から上記複数種類の放送信号を各々検出する検出手段と、
上記検出手段の検出結果に基づき、上記第１のスイッチおよび上記第２のスイッチを制御する制御手段とを有することを特徴とする受信装置。
【請求項７】
請求項６において、
上記検出手段は、各放送の同期信号を放送信号の検出に用いることを特徴とする受信装置。
【請求項８】
第１の入力端子および第２の入力端子と、上記第１の入力端子および／または上記第２の入力端子から入力される複数種類の放送信号を受信可能な第１および第２の受信部とを備える受信装置であって、
上記第１の入力端子から入力される信号を分配する第１の分配器と、
上記第２の入力端子から入力される信号を分配する第２の分配器と、
上記第１の分配器の一方の出力側から出力される信号を分配する第３の分配器と、
上記第１の分配器の他方の出力側から出力される信号を分配する第４の分配器と、
上記第２の分配器の一方の出力側から出力される信号を分配する第５の分配器と、
上記第２の分配器の他方の出力側から出力される信号を分配する第６の分配器と、
上記第３の分配器の一方の出力側と上記第５の分配器の一方の出力側とから選択的に上記第１の受信部に信号が供給されるように接続を切り換える第１のスイッチと、
上記第３の分配器の他方の出力側と上記第５の分配器の他方の出力側とから選択的に上記第１の受信部に信号が供給されるように接続を切り換える第２のスイッチと、
上記第４の分配器の一方の出力側と上記第６の分配器の一方の出力側とから選択的に上記第２の受信部に信号が供給されるように接続を切り換える第３のスイッチと、
上記第４の分配器の他方の出力側と上記第６の分配器の他方の出力側とから選択的に上記第２の受信部に信号が供給されるように接続を切り換える第４のスイッチと、
上記第１の受信部に供給される信号から上記複数種類の放送信号を各々検出する第１の検出手段と、
上記第２の受信部に供給される信号から上記複数種類の放送信号を各々検出する第２の検出手段と、
上記第１の検出手段の検出結果に基づき、上記第１のスイッチおよび上記第２のスイッチを制御し、上記第２の検出手段の検出結果に基づき、上記第３のスイッチおよび上記第４のスイッチを制御する制御手段とを有することを特徴とする受信装置。
【請求項９】
請求項８において、
上記第１の検出手段および上記第２の検出手段は、共に各放送の同期信号を放送信号の検出に用いることを特徴とする受信装置。
【発明の詳細な説明】
【技術分野】
【０００１】
この発明は、受信装置に関し、例えば、地上放送と衛星放送との両方を受信するために複数個の入力端子を備えた受信装置に関する。
【背景技術】
【０００２】
現在、ＶＨＦ（Very High Frequency）／ＵＨＦ（Ultra High Frequency）帯を使用する地上アナログテレビジョン放送が行われている。また、ＳＨＦ（Super High Frequency）帯を使用するＢＳ（Broadcasting Satellite）デジタル、ＣＳ（Communication Satellite）デジタル等の衛星放送が行われている。さらに、近年では、一部の地域において、ＵＨＦ帯を使用した地上デジタル放送が開始されている。また、有線放送では、光ファイバ等の伝送路を使用したケーブルテレビジョン（ＣＡＴＶ）サービスが行われている。
【０００３】
これらの放送は、受信アンテナまたはＣＡＴＶ伝送路とテレビジョン受像機、セットトップボックス等の受信装置とを接続することで受信される。地上アナログテレビジョン放送を建物内で受信する場合、通常、共聴システムによって共同アンテナで受信された信号が複数個の壁面コンセントに分散して供給されるようにしている。
【０００４】
以下の特許文献１には、ＣＳアンテナを設置し、また、ＣＳ、ＢＳ、Ｕ、Ｖ、ＦＭ分配切換付きブースタを配電盤内に設置し、それぞれの配電盤内の入出力ケーブルを接続することで、ＣＳ放送を各壁面コンセントの任意の１端子のみに追加共聴することができる共聴システムが提案されている。
【０００５】
【特許文献１】特開２００１−８６０２１号公報
【０００６】
また、最近のマンション等の集合住宅では、地上放送信号と衛星放送のＩＦ信号とを室外で混合し、混合した信号を各世帯の室内の壁面コンセントに供給する１軸伝送システムが適用されている場合がある。
【０００７】
図４は、地上放送信号と衛星放送信号とを混合した信号が壁面コンセントに供給される家庭内受信システムの構成の一例を示す。室外側には、アナログ放送用のＶＨＦアンテナ１０１とＵＨＦアンテナ１０２、デジタル放送用のＵＨＦアンテナ１０３、アンプ１０４、混合器１０５、ＢＳ・１１０度ＣＳ用の衛星アンテナ１０６、ブースタ１０７および分配器１０８が設置されている。
【０００８】
ＶＨＦアンテナ１０１が受信したＶＨＦ信号は、ブースタ１０７に供給される。ＵＨＦアンテナ１０２が受信したＵＨＦ信号は、混合器１０５に供給される。ＵＨＦアンテナ１０３が受信した地上デジタルテレビジョン信号は、アンプ１０４で増幅されて、混合器１０５に供給される。なお、アンプ１０４は、弱電界時に用いるものであり、ＵＨＦアンテナ１０３のみで十分なレベルの信号が受信できるならば省略できる。混合器１０５は、ＵＨＦアンテナ１０２から供給されるＵＨＦ信号とＵＨＦアンテナ１０３から供給される地上デジタルテレビジョン信号とを混合する。混合器１０５で混合された信号は、ブースタ１０７に供給される。衛星アンテナ１０６で受信された衛星放送信号は、ブースタ１０７に供給される。
【０００９】
ブースタ１０７は、ＶＨＦアンテナ１０１、混合器１０５および衛星アンテナ１０６から供給される信号をそれぞれ増幅し、増幅した各信号を混合する。ブースタ１０７で混合された信号は、分配器１０８に供給される。分配器１０８は、ブースタ１０７から供給される信号を４つに分配する。分配器１０８で４つに分配された信号は、室内側との接点となる壁面コンセント１０９ａ，１０９ｂ，１０９ｃ，１０９ｄにそれぞれ供給される。
【００１０】
壁面コンセント１０９ａが備えられた室内側のブロックには、分波器１１０、レコーダ１１１、テレビジョン受像機１１２、レコーダ１１３、チューナ１１４およびディスプレイ１１５が設置されている。レコーダ１１１，１１３は、ＤＶＤ（Digital Versatile Disc）レコーダ、ハードディスクレコーダ、ＶＣＲ（Video Cassette Recorder）等の録画再生機器である。レコーダ１１１，１１３およびテレビジョン受像機１１２は、ＢＳ・ＣＳ／地上デジタルテレビジョン／地上アナログテレビジョン放送に対応したチューナを内蔵している。チューナ１１４は、ＢＳ・ＣＳ／地上デジタルテレビジョン／地上アナログテレビジョン放送に対応している。
【００１１】
室内側の壁面コンセント１０９ａには、分波器１１０が接続されている。分波器１１０は、壁面コンセント１０９ａから供給される信号を地上放送信号と衛星放送信号とに分波する。分波器１１０で分波された地上放送信号と衛星放送信号は、それぞれ、レコーダ１１１を介してテレビジョン受像機１１２に供給されると共に、レコーダ１１３を介してチューナ１１４に供給される。チューナ１１４とディスプレイ１１５とは、Ｄ端子等のＡＶ（Audio Visual）端子を介して接続されている。また、レコーダ１１１およびレコーダ１１３で再生した映像および音声を視聴できるように、レコーダ１１１とテレビジョン受像機１１２、レコーダ１１３とディスプレイ１１５は、それぞれＤ端子等のＡＶ端子を介して接続されている。
【００１２】
これらの接続によって、地上放送と衛星放送とをテレビジョン受像機１１２およびディスプレイ１１５によって視聴することができる。このような１軸伝送システムでは、図５に示すように、各室内に引き込むケーブルを１本に纏めることができる。
【００１３】
地上放送の受信システムを既に利用していて、衛星放送を追加的に受信したい場合は、容易且つ安価なことから、地上放送の配線と衛星放送の配線とを別々にする場合が多い。
【００１４】
図６は、その場合での家庭内受信システムの構成の一例を示す。室外側のブースタ１０７には、衛星放送信号は供給されておらず、壁面コンセント１０９ａ，１０９ｂ，１０９ｃ，１０９ｄには、地上放送信号のみが供給されている。衛星アンテナ１０６で受信された衛星放送信号は、壁面等に設けられた通気口１１６を介して室内側に供給される。
【００１５】
壁面コンセント１０９ａと通気口１１６とが設けられている室内側のブロックでは、壁面コンセント１０９ａに供給されている地上放送信号と通気口１１６を介して衛星アンテナ１０６から直接供給されている衛星放送信号は、それぞれ、レコーダ１１１を介してテレビジョン受像機１１２に供給されると共に、レコーダ１１３を介してチューナ１１４に供給される。他の構成は、図４の説明と同様である。
【００１６】
これらの接続によって、地上放送と衛星放送とを、テレビジョン受像機１１２およびディスプレイ１１５によって視聴することができる。
【００１７】
また、地上アナログテレビジョン放送の受信システムを既に利用していて、衛星放送と地上デジタルテレビジョン放送とを追加的に受信したい場合は、容易且つ安価なことから地上アナログテレビジョン放送の配線と衛星放送の配線と地上デジタルテレビジョン放送の配線とを別々にする場合が多い。
【００１８】
図７は、その場合での家庭内受信システムの構成の一例を示す。室外側のブースタ１０７には、衛星放送信号および地上デジタルテレビジョン信号は供給されておらず、壁面コンセント１０９ａ，１０９ｂ，１０９ｃ，１０９ｄには、地上アナログテレビジョン信号のみが供給されている。衛星アンテナ１０６で受信された衛星放送信号は、壁面等に設けられた通気口１１６を介して室内側に供給される。ＵＨＦアンテナ１０３で受信されアンプ１０４で増幅された地上デジタルテレビジョン信号は、壁面等に設けられた通気口１１７を介して室内側に供給される。なお、通気口１１６と通気口１１７とは、同一であってもよい。
【００１９】
壁面コンセント１０９ａと通気口１１６，１１７とが設けられている室内側のブロックでは、壁面コンセント１０９ａに供給されている地上アナログテレビジョン信号と、アンプ１０４、通気口１１７を介してＵＨＦアンテナ１０３から直接供給されている地上デジタルテレビジョン信号とを混合器１１８によって混合する。混合器１１８によって、混合された地上放送信号と、通気口１１６を介して衛星アンテナ１０６から直接供給されている衛星放送信号は、それぞれ、レコーダ１１１を介してテレビジョン受像機１１２に供給されると共に、レコーダ１１３を介してチューナ１１４に供給される。他の構成は、図４の説明と同様である。
【００２０】
これらの接続によって、地上放送と衛星放送とを、テレビジョン受像機１１２およびディスプレイ１１５によって視聴することができる。
【００２１】
通常、地上放送と衛星放送の両方を受信できるテレビジョン受像機、チューナ、セットトップボックス、録画再生機器等の受信装置は、地上放送用の入力端子と衛星放送用の入力端子とを別個に備えており、これら入力端子への接続を適切に行うことで地上放送と衛星放送とを受信できる受信システムが構築される。
【発明の開示】
【発明が解決しようとする課題】
【００２２】
しかしながら、このような入力端子への接続には、以下のような問題点があった。受信できる放送の種類、受信アンテナで受信された信号の混合の有無および組み合わせは、数多く存在する。また、通常、地上放送用、衛星放送用等の信号の種別毎に受信装置に設けられた入力端子には、Ｆ型コネクタ等の同一形状のコネクタが用いられる。よって、信号に対する知識に詳しくない多くのユーザが入力端子への接続を行うと、対応していない入力端子に間違って接続してしまい、受信が正常に行えない場合がある。特に、衛星放送用の入力端子には、コンバータ用の電源が重畳される場合があり、間違って接続すると機器の故障に繋がりかねない。
【００２３】
また、図４を参照して説明したように、１軸伝送システムでは、受信装置の入力端子が対応する信号と入力端子に入力する信号の種類とを合わせるために、各壁面コンセントと受信装置との間に分波器を配置し、１軸伝送システムによって供給される混合信号をその分波器によって分波する必要があった。
【００２４】
したがって、この発明の目的は、入力端子への接続を正確、簡単且つ安全に行える受信装置を提供することにある。
【課題を解決するための手段】
【００２５】
上述した課題を解決するために、この発明の第１の形態は、第１の入力端子および第２の入力端子と、第１の入力端子および／または第２の入力端子から入力される複数種類の放送信号を受信可能な受信部とを備える受信装置であって、第１の入力端子から入力される信号を第１の帯域の信号と第２の帯域の信号とに分波する分波器と、分波器の第２の帯域の信号の出力側と第２の入力端子とから選択的に受信部に信号が供給されるように接続を切り換えるスイッチと、受信部に供給される信号から第１の帯域および第２の帯域を用いる放送信号を各々検出する検出手段と、検出手段の検出結果に基づきスイッチを制御する制御手段とを有することを特徴とする受信装置である。
【００２６】
また、この発明の第２の形態は、第１の入力端子および第２の入力端子と、第１の入力端子および／または第２の入力端子から入力される複数種類の放送信号を受信可能な受信部とを備える受信装置であって、第１の入力端子から入力される信号を分配する第１の分配器と、第２の入力端子から入力される信号を分配する第２の分配器と、第１の分配器の一方の出力側と第２の分配器の一方の出力側とから選択的に受信部に信号が供給されるように接続を切り換える第１のスイッチと、第１の分配器の他方の出力側と第２の分配器の他方の出力側とから選択的に受信部に信号が供給されるように接続を切り換える第２のスイッチと、受信部に供給される信号から複数種類の放送信号を各々検出する検出手段と、検出手段の検出結果に基づき、第１のスイッチおよび第２のスイッチを制御する制御手段とを有することを特徴とする受信装置である。
【００２７】
また、この発明の第３の形態は、第１の入力端子および第２の入力端子と、第１の入力端子および／または第２の入力端子から入力される複数種類の放送信号を受信可能な第１および第２の受信部とを備える受信装置であって、第１の入力端子から入力される信号を分配する第１の分配器と、第２の入力端子から入力される信号を分配する第２の分配器と、第１の分配器の一方の出力側から出力される信号を分配する第３の分配器と、第１の分配器の他方の出力側から出力される信号を分配する第４の分配器と、第２の分配器の一方の出力側から出力される信号を分配する第５の分配器と、第２の分配器の他方の出力側から出力される信号を分配する第６の分配器と、第３の分配器の一方の出力側と第５の分配器の一方の出力側とから選択的に第１の受信部に信号が供給されるように接続を切り換える第１のスイッチと、第３の分配器の他方の出力側と第５の分配器の他方の出力側とから選択的に第１の受信部に信号が供給されるように接続を切り換える第２のスイッチと、第４の分配器の一方の出力側と第６の分配器の一方の出力側とから選択的に第２の受信部に信号が供給されるように接続を切り換える第３のスイッチと、第４の分配器の他方の出力側と第６の分配器の他方の出力側とから選択的に第２の受信部に信号が供給されるように接続を切り換える第４のスイッチと、第１の受信部に供給される信号から複数種類の放送信号を各々検出する第１の検出手段と、第１の検出手段の検出結果に基づき、第１のスイッチおよび第２のスイッチを制御し、第２の検出手段の検出結果に基づき、第３のスイッチおよび第４のスイッチを制御する制御手段とを有することを特徴とする受信装置である。
【発明の効果】
【００２８】
この発明の第１の形態では、受信部に供給される信号から第１の帯域および第２の帯域を用いる放送信号を各々検出し、その検出結果に基づき、スイッチを制御することで、供給される信号に応じて信号を入力する入力端子を適切に切り換えることができる。
【００２９】
また、この発明の第２の形態では、受信部に供給される信号から複数種類の放送信号を各々検出し、その検出結果に基づき、第１のスイッチと第２のスイッチとを制御することで、第１の入力端子および／または第２の入力端子に供給される信号の全てを受信部に供給することができる。
【００３０】
また、この発明の第３の形態では、第１の受信部に供給される信号から複数種類の放送信号を各々検出し、その検出結果に基づき、第１のスイッチと第２のスイッチとを制御し、第２の受信部に供給される信号から複数種類の放送信号を各々検出し、その検出結果に基づき、第３のスイッチと第４のスイッチとを制御することで、第１の入力端子および／または第２の入力端子に供給される信号の全てを第１の受信部および第２の受信部のそれぞれに供給することができる。
【００３１】
よって、この発明によれば、入力端子へのケーブル等の接続を簡単にすることができ、さらに、接続の間違いを防止することができる。誤接続が防止されることにより、衛星放送用に重畳された電源電圧がショートして起こる機器の故障も避けられる。
【発明を実施するための最良の形態】
【００３２】
以下、この発明の実施形態について図面を参照して説明する。なお、全図において、同一または対応する部分には同一の符号を付す。図１は、この発明の第１の実施形態による受信装置の構成の一例を示す。第１の実施形態による受信装置は、入力端子切換回路１０とユニバーサルフロントエンド２０と制御部３０とを有している。ここで、ユニバーサルフロントエンドとは、複数の放送信号を受信するチューナ部と復調部等とで構成されるもののことをいう。
【００３３】
入力端子切換回路１０は、入力端子１１，１２、分波器１３、アンプ１４，１６、混合器１５、スイッチＳＷ１、コネクタ１７および出力端子１８を有している。
【００３４】
入力端子１１は、ＳＨＦ帯（１２ＧＨｚ帯）を使用して送信される衛星放送信号（ＢＳ・ＣＳ信号）とＶＨＦ（９０ＭＨｚ〜２２０ＭＨｚ）／ＵＨＦ（４４０ＭＨｚ〜７７０ＭＨｚ）帯を使用して送信される地上放送信号（Ｕ・Ｖ信号）の入力に対応した端子であり、入力端子１２は、地上放送信号（Ｕ・Ｖ信号）の入力にのみ対応した端子である。入力端子１１と入力端子１２は、共に例えばＦ型コネクタのレセプタクルで構成されており、同じコネクタ形状を有している。
【００３５】
入力端子１１から入力される信号は、分波器１３に供給される。分波器１３は、入力端子１１から供給された信号を、衛星放送の帯域信号と地上放送の帯域信号とに分波する。
【００３６】
分波器１３で分波された衛星放送の帯域信号は、アンプ１４に供給される。アンプ１４は、分波器１３から供給された衛星放送の帯域信号を増幅する。アンプ１４で増幅された信号は、混合器１５に供給される。
【００３７】
スイッチＳＷ１は、アンプ１６への入力を入力端子１２と分波器１３の地上放送の帯域信号の出力側とのどちらか一方に切り換えるものである。なお、この例では、スイッチＳＷ１は、アンプ１６の入力側と接続された端子Ｔ１と、分波器１３の地上放送の帯域信号の出力側と接続された端子Ｔ２と、入力端子１２と接続された端子Ｔ３とを有しており、コネクタ１７を介して制御部３０から供給される制御信号によって、端子Ｔ１との接続が端子Ｔ２と端子Ｔ３とのどちらか一方に切り換わる構成とされている。
【００３８】
スイッチＳＷ１の端子Ｔ１と端子Ｔ２とが接続されている場合には、分波器１４で分波された地上放送の帯域信号がアンプ１６に供給される。このとき、入力端子１２に供給される信号は、アンプ１６には供給されない。スイッチＳＷ１の端子Ｔ１と端子Ｔ３とが接続されている場合には、入力端子１２に供給される信号がアンプ１６に供給される。このとき、分波器１３で分波された地上放送の帯域信号は、アンプ１６には供給されない。
【００３９】
アンプ１６は、分波器１４から供給される地上放送の帯域信号または入力端子１２から供給された信号を増幅する。アンプ１６で増幅された信号は、混合器１５に供給される。混合器１５は、衛星放送の帯域信号と地上放送の帯域信号とを混合するものであり、アンプ１４から供給される信号とアンプ１６から供給される信号とを混合する。混合器１５で混合された信号は、出力端子１８から出力され、ユニバーサルフロントエンド２０の入力端子２１に入力される。
【００４０】
なお、第１の実施形態では、混合器１５と分波器２２によって、入力端子切換回路１０とユニバーサルフロントエンド２０との間を１軸で伝送する構成としているが、出力端子１８と入力端子２１をそれぞれ２つ設け、アンプ１４で増幅された信号を衛星デジタルチューナ部２３に供給し、アンプ１６で増幅された信号を地上アナログ／デジタルチューナ部２５に供給する２軸伝送の構成としてもよい。また、スイッチＳＷ１をユニバーサルフロントエンド２０側に設け、ユニバーサルフロントエンド２０側で入力の切り換えを行う構成としてもよい。さらには、入力端子切換回路４０とユニバーサルフロントエンド２０とを別々に構成せずに、一体的な構成としてもよい。
【００４１】
ユニバーサルフロントエンド２０は、入力端子２１、分波器２２、衛星デジタルチューナ部２３、衛星デジタル復調・復号部２４、地上アナログ／デジタルチューナ部２５、地上デジタル復調・復号部２６およびコネクタ２７を有している。
【００４２】
入力端子２１から入力された信号は、分波器２２に供給される。分波器２２は、入力端子２１から供給された信号を、衛星放送の帯域信号と地上放送の帯域信号とに分波する。
【００４３】
分波器２２で分波された衛星放送の帯域信号は、衛星デジタルチューナ部２３に供給される。衛星デジタルチューナ部２３は、分波器２２から供給された衛星放送の帯域信号から、選択されている衛星デジタル放送のチャネルの選局、すなわち周波数選択を行う。衛星デジタルチューナ部２３で選局された信号は、衛星デジタル復調・復号部２４に供給される。
【００４４】
衛星デジタル復調・復号部２４は、衛星デジタルチューナ部２３から供給された信号に対して、８ＰＳＫ（Phase Shift Keying）、ＱＰＳＫ（Quadrature Phase Shift Keying）等の復調・復号、ＴＭＣＣ（Transmission and Multiplexing Configuration Control）復号、デインタリーブ、フレーム分離、リードソロモン復号等の処理を施して、衛星デジタル放送のトランスポートストリーム（ＴＳ）を復号する。衛星デジタル復調・復号部２４で復号されたトランスポートストリームは、ユニバーサルフロントエンド２０から出力される。
【００４５】
分波器２２で分波された地上放送の帯域信号は、地上アナログ／デジタルチューナ部２５に供給される。地上アナログ／デジタルチューナ部２５は、分波器２２から供給された地上放送の帯域信号が地上アナログテレビジョン信号である場合には、選択されている地上アナログテレビジョン放送のチャネルの選局、すなわち周波数選択を行う。この地上アナログ／デジタルチューナ部２５で選局された信号は、地上アナログテレビジョン放送のビデオ・サウンド（Ｖ・Ｓ）信号として、ユニバーサルフロントエンド２０から出力される。
【００４６】
分波器２２から供給された地上放送の帯域信号が地上デジタルテレビジョン信号である場合には、地上アナログ／デジタルチューナ部２５は、選択されている地上デジタルテレビジョンチャネルの選局、すなわち周波数選択を行う。この地上アナログ／デジタルチューナ部２５で選局された信号は、地上デジタル復調・復号部２６に供給される。
【００４７】
地上デジタル復調・復号部２６は、地上アナログ／デジタルチューナ部２５から供給された信号に対して、６４ＱＡＭ（Quadrature Amplitude Modulation）、１６ＱＡＭ等の復調・復号、ＴＭＣＣ復号、デインタリーブ、階層処理、エネルギー逆拡散等の処理を施して、地上デジタルテレビジョン放送のトランスポートストリーム（ＴＳ）を復号する。地上デジタル復調・復号部２６で復号されたトランスポートストリームは、ユニバーサルフロントエンド２０から出力される。
【００４８】
ユニバーサルフロントエンド２０は、コネクタ２７を介して各放送信号の有無を判定するための検出信号を制御部３０に供給する。衛星デジタル放送信号の有無を判定するための検出信号は、衛星デジタル復調・復号部２４から制御部３０に供給される。衛星デジタル復調・復号部２４は、衛星デジタル放送を受信する際に、まず、フレーム同期信号と共に各フレームの先頭位置で送信されるＴＭＣＣを取得して、電波の復調、受信するトランスポートストリームの選択等を行う。例えば、このフレーム同期信号（ＦＥＬ）を検出信号として用いることができる。また、例えば、Ｉ2Ｃ（Inter Integrated Circuit）等でＴＭＣＣ、その他の衛星デジタル放送の各種ステータスが読み出せた場合に検出信号を供給するとしてもよい。なお、この検出信号は、衛星デジタル放送信号を検出できるものであれば特にこれらに限定されるものではない。
【００４９】
地上アナログ放送信号の有無を判定するための検出信号は、地上アナログ／デジタルチューナ部２５から制御部３０に供給される。通常、受信装置は、マイクロコンピュータが地上アナログテレビジョンのビデオ同期信号をカウントすることで、地上アナログテレビジョン放送の映像信号の有無を判定している。例えば、このビデオ同期信号を検出信号として用いることができる。具体的には、マイクロコンピュータで「ＡＦＴ  ＯＵＴ」の電圧を監視し、中央に選局されたか否かを判断することで、アナログテレビジョン信号の有無を検出できる。なお、この検出信号は、地上アナログテレビジョン放送信号を検出できるものであれば特に限定されるものではない。
【００５０】
地上デジタル放送信号の有無を判定するための検出信号は、地上デジタル復調・復号部２６から制御部３０に供給される。地上デジタル復調・復号部２６は、地上デジタル放送を受信する際に、まず、フレーム同期信号と共に各フレームの先頭位置で送信されるＴＭＣＣを取得して、電波の復調、受信するトランスポートストリームの選択等を行う。例えば、このフレーム同期信号を検出信号として用いることができる。具体的には、ユニバーサルフロントエンド２０のロックステータスを出力する端子からのＬＯＣＫ信号を検出信号として用いることができる。また、例えば、Ｉ2Ｃ等でＴＭＣＣ、その他の地上デジタル放送の各種ステータスが読み出せた場合に検出信号を供給するとしてもよい。なお、この検出信号は、地上デジタルテレビジョン放送信号を検出できるものであれば特にこれらに限定されるものではない。
【００５１】
制御部３０は、マイクロコンピュータ等から構成されており、受信装置の全体または一部の制御を行っている。なお、制御部３０と入力端子切換回路１０およびユニバーサルフロントエンド２０とは、別々な構成とされているが、制御部３０と入力端子切換回路１０またはユニバーサルフロントエンド２０とを一体的な構成としてもよい。
【００５２】
制御部３０は、コネクタ２７を介してユニバーサルフロントエンド２０から供給される検出信号に基づいて、衛星デジタル放送、地上アナログテレビジョン放送、地上デジタルテレビジョン放送の中で受信可能な放送を判定する。制御部３０は、衛星デジタル復調・復号部２４から検出信号が供給された場合には、衛星デジタル放送が受信可能であると判定し、地上アナログ／デジタルチューナ部２５から検出信号が供給された場合には、地上アナログテレビジョン放送が受信可能であると判定し、地上デジタル復調・復号部２６から検出信号が供給された場合には、地上デジタルテレビジョン放送が受信可能であると判定する。なお、これら判定は、単発的な検出信号の供給に限らず、連続的な供給によって受信可能であるとしてもよい。
【００５３】
また、制御部３０は、受信可能な放送の判定結果に基づき、スイッチＳＷ１を切換制御するための制御信号を生成する。生成した制御信号は、コネクタ１７を介してスイッチＳＷ１に供給される。これによって、スイッチＳＷ１は、制御部３０からの制御信号に基づき接続を切り換える。
【００５４】
制御部３０は、１軸伝送による入力を行うか２軸伝送による入力を行うかの入力設定情報が記憶されているＲＡＭ（Random Access Memory）等の記憶装置を有している。１軸伝送による入力は、ＢＳ・ＣＳ信号とＵ・Ｖ信号の混合信号が供給されるケーブルを接続する場合に選択されるものである。２軸伝送による入力は、ＢＳ・ＣＳ信号が供給されるケーブルとＵ・Ｖ信号が供給されるケーブルとを接続する場合に選択されるものである。なお、この入力設定情報は、図示しないユーザインタフェースによって、ユーザが任意に変更可能とされている。
【００５５】
制御部３０は、初期状態として、１軸伝送による入力を行うと設定されている場合には、スイッチＳＷ１を端子Ｔ１と端子Ｔ２とが接続されるように制御し、２軸伝送による入力を行うと設定されている場合には、スイッチＳＷ１を端子Ｔ１と端子Ｔ３とが接続されるように制御する。
【００５６】
また、制御部３０は、衛星放送の検出信号と地上放送の検出信号が両方とも供給されない場合には、所定の時間間隔でスイッチＳＷ１の接続を切換制御し、両方の放送の受信が可能であるかを試みる。そして、制御部３０は、より多くの種類の検出信号が供給されるように、スイッチＳＷ１の接続を切り換える。また、ユニバーサルフロントエンド２０から何れの検出信号も供給されていない状態が所定時間だけ続いた場合には、制御部３０は、何れの放送も受信できない旨を、図示しない画面等のユーザインタフェースを通じてユーザに提示する。
【００５７】
すなわち、第１の実施形態による受信装置は、放送信号が検出されない場合に、その旨をユーザに提示する提示機能と、所定の時間間隔でスイッチを切り換えて放送信号の有無を確認する機能とを有している。
【００５８】
表１は、第１の入力端子１１と第２の入力端子１２とに供給される放送信号の主な形態を示す。以下、表１に示す形態での受信装置の動作について説明する。
【００５９】
【表１】
2006197446.tif 000003
【００６０】
２軸伝送での正しい接続の場合、接続例１に示すように、入力端子１１にＢＳ・ＣＳ信号が供給されるケーブルが接続され、入力端子１２にＵ・Ｖ信号が供給されるケーブルが接続される。
【００６１】
２軸伝送による入力の設定での初期状態では、スイッチＳＷ１の端子Ｔ１と端子Ｔ３とが接続されることから、ユニバーサルフロントエンド２０から制御部３０に、衛星放送と地上放送の検出信号が供給される。制御部３０は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【００６２】
２軸伝送で間違った接続をした場合、接続例２に示すように、入力端子１１にＵ・Ｖ信号が供給されるケーブルが接続され、入力端子１２にＢＳ・ＣＳ信号が供給されるケーブルが接続される。
【００６３】
２軸伝送による入力の設定での初期状態では、スイッチＳＷ１の端子Ｔ１と端子Ｔ３とが接続されることから、ユニバーサルフロントエンド２０から制御部３０には検出信号が供給されない。このとき、制御部３０は、より多くの種類の検出信号が供給されるように、スイッチＳＷ１を端子Ｔ１と端子Ｔ２とが接続されるように切換制御する。これによって、ユニバーサルフロントエンド２０から制御部３０に、地上放送の検出信号が供給される。制御部３０は、ユニバーサルフロントエンド２０から供給される地上放送の検出信号によって、地上放送のみが受信可能であると判定する。これにより、地上放送のみが受信可能となる。この場合、接続が入れ違いになっている可能性がある旨を、ユーザに画面等を通じて通知してもよい。
【００６４】
ＢＳ・ＣＳ信号とＵ・Ｖ信号とを１本のケーブルで供給する１軸伝送システムでの正しい接続の場合、接続例３に示すように、入力端子１１にのみ、ＢＳ・ＣＳ信号とＵ・Ｖ信号とが混合された１軸伝送システム信号が供給されるケーブルが接続される。
【００６５】
１軸伝送による入力の設定での初期状態では、スイッチＳＷ１の端子Ｔ１と端子Ｔ２とが接続されることから、ユニバーサルフロントエンド２０から制御部３０に、衛星放送と地上放送の検出信号が供給される。制御部３０は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【００６６】
１軸伝送システムで間違った接続をした場合、接続例４に示すように、入力端子１２にのみ、ＢＳ・ＣＳ信号とＵ・Ｖ信号とが混合された１軸伝送システム信号が供給されるケーブルが接続される。
【００６７】
１軸伝送による入力の設定での初期状態では、スイッチＳＷ１の端子Ｔ１と端子Ｔ２とが接続されることから、ユニバーサルフロントエンド２０から制御部３０には検出信号が供給されない。このとき、制御部３０は、より多くの種類の検出信号が供給されるように、スイッチＳＷ１を端子Ｔ１と端子Ｔ３とが接続されるように切換制御する。これによって、ユニバーサルフロントエンド２０から制御部３０に、地上放送の検出信号が供給される。制御部３０は、ユニバーサルフロントエンド２０から供給される地上放送の検出信号によって、地上放送のみが受信可能であると判定する。これにより、地上放送のみが受信可能となる。この場合、接続先が間違っている可能性がある旨を、ユーザに画面等を通じて通知してもよい。
【００６８】
また、入力設定情報が１軸伝送による入力と設定されていて、実際には、２軸伝送の接続、すなわち入力端子１１にＢＳ・ＣＳ信号が供給されるケーブルが接続され、入力端子１２にＵ・Ｖ信号が供給されるケーブルが接続される場合がある。
【００６９】
この場合、１軸伝送による入力の設定の初期状態では、スイッチＳＷ１の端子Ｔ１と端子Ｔ２とが接続されていることから、ユニバーサルフロントエンド２０から制御部３０に、衛星放送の検出信号が供給される。このとき、制御部３０は、より多くの種類の検出信号が供給されるように、スイッチＳＷ１を端子Ｔ１と端子Ｔ３とが接続されるように切換制御する。これによって、ユニバーサルフロントエンド２０から制御部３０に、衛星放送と地上放送の検出信号が供給される。制御部３０は、ユニバーサルフロントエンド２０から供給される衛星放送と地上放送の検出信号によって、衛星放送と地上放送の両方が受信可能であると判定する。これにより、地上放送と衛星放送の両方が受信可能となる。このとき、制御部３０は、入力設定情報を自動的に２軸伝送による入力に変更する。
【００７０】
また、入力設定情報が２軸伝送による入力と設定されていて、実際には、１軸伝送の接続、すなわち入力端子１１にのみ、ＢＳ・ＣＳ信号とＵ・Ｖ信号とが混合された１軸伝送システム信号が供給されるケーブルが接続される場合がある。
【００７１】
この場合、２軸伝送による入力の設定の初期状態では、スイッチＳＷ１の端子Ｔ１と端子Ｔ３とが接続されていることから、ユニバーサルフロントエンド２０から制御部３０に、衛星放送の検出信号が供給される。このとき、制御部３０は、より多くの種類の検出信号が供給されるように、スイッチＳＷ１を端子Ｔ１と端子Ｔ２とが接続されるように切換制御する。これによって、ユニバーサルフロントエンド２０から制御部３０に、衛星放送と地上放送の検出信号が供給される。制御部３０は、ユニバーサルフロントエンド２０から供給される衛星放送と地上放送の検出信号によって、衛星放送と地上放送の両方が受信可能であると判定する。これにより、地上放送と衛星放送の両方が受信可能となる。このとき、制御部３０は、入力設定情報を自動的に１軸伝送による入力に変更する。
【００７２】
また、入力設定情報が１軸伝送による入力と設定されていて、実際には、２軸伝送の間違った接続、すなわち入力端子１１にＵ・Ｖ信号が供給されるケーブルが接続され、入力端子１２にＢＳ・ＣＳ信号が供給されるケーブルが接続される場合がある。
【００７３】
この場合、１軸伝送による入力の設定の初期状態では、スイッチＳＷ１の端子Ｔ１と端子Ｔ２とが接続されていることから、ユニバーサルフロントエンド２０から制御部３０に、地上放送の検出信号が供給される。制御部３０は、ユニバーサルフロントエンド２０から供給される地上放送の検出信号によって、地上放送が受信可能であると判定する。これにより、地上放送が受信可能となる。このとき、制御部３０は、入力設定情報を自動的に２軸伝送による入力に変更する。この場合、接続が入れ違いになっている可能性がある旨を、ユーザに画面等を通じて通知してもよい。
【００７４】
また、入力設定情報が２軸伝送による入力と設定されていて、実際には、１軸伝送の間違った接続、すなわち入力端子１２にのみ、ＢＳ・ＣＳ信号とＵ・Ｖ信号とが混合された１軸伝送システム信号が供給されるケーブルが接続される場合がある。
【００７５】
この場合、２軸伝送による入力の設定の初期状態では、スイッチＳＷ１の端子Ｔ１と端子Ｔ３とが接続されていることから、ユニバーサルフロントエンド２０から制御部３０に、地上放送の検出信号が供給される。制御部３０は、ユニバーサルフロントエンド２０から供給される地上放送の検出信号によって、地上放送が受信可能であると判定する。これにより、地上放送が受信可能となる。このとき、制御部３０は、入力設定情報を自動的に１軸伝送による入力に変更する。この場合、接続先が間違っている可能性がある旨を、ユーザに画面等を通じて通知してもよい。
【００７６】
これらのことから、第１の実施形態の受信装置によれば、入力端子１１，１２にケーブルが間違って接続された場合でも、スイッチＳＷ１を適切に切り換えることで受信可能な放送を受信できる。また、間違って接続されたことをユーザに通知できるため、ユーザは、容易且つ正しくケーブルを接続することができる。
【００７７】
また、入力設定情報と実際の接続とが違っていても、自動的に入力設定情報を変更することができるため、ユーザは、壁面コンセント等に供給されている信号が１軸伝送システム信号であるか否かを意識しなくても、入力端子１１，１２へのケーブルの接続を行うことができる。
【００７８】
第１の実施形態による受信装置では、表１の接続例２、接続例４に示すように、間違った接続をした場合に、ＢＳ／ＣＳ放送の受信ができない。以下に説明する第２の実施形態は、１軸伝送システム信号の入力に対応した入力端子を２つ備えることで、入力端子のどちらに、どのような信号が接続されても、受信できるようにしたものである。
【００７９】
図２は、この発明の第２の実施形態による受信システムの構成の一例を示す。第２の実施形態による受信装置は、入力端子切換回路４０とユニバーサルフロントエンド２０と制御部３１とを有している。
【００８０】
入力端子切換回路４０は、入力端子４１，４２、アンプ４３，４５、分配器４４，４６、スイッチＳＷ２，ＳＷ３、混合器４７、コネクタ４８および出力端子４９を有している。
【００８１】
入力端子４１と入力端子４２は、共にＳＨＦ帯（１２ＧＨｚ帯）を使用して送信される衛星放送信号（ＢＳ・ＣＳ信号）とＶＨＦ（９０ＭＨｚ〜２２０ＭＨｚ）／ＵＨＦ（４４０ＭＨｚ〜７７０ＭＨｚ）帯を使用して送信される地上放送信号（Ｕ・Ｖ信号）の入力に対応した端子である。入力端子４１と入力端子４２は、共に例えばＦ型コネクタのレセプタクルで構成されており、同じコネクタ形状を有している。
【００８２】
入力端子４１から入力された信号は、アンプ４３に供給される。アンプ４３は、入力端子４１から供給された信号を増幅する。アンプ４３で増幅された信号は、分配器４４に供給される。分配器４４は、アンプ４３から供給された信号を２分配する。
【００８３】
一方、入力端子４２から入力された信号は、アンプ４５に供給される。アンプ４５は、入力端子４２から供給された信号を増幅する。アンプ４５で増幅された信号は、分配器４６に供給される。分配器４６は、アンプ４５から供給された信号を２分配する。
【００８４】
スイッチＳＷ２は、混合器４７の一方の入力側への入力を、分配器４４の一方の出力側と分配器４６の一方の出力側とのどちらか一方に切り換えるものである。なお、この例では、スイッチＳＷ２は、混合器４７の一方の入力側と接続された端子Ｔ１１と、分配器４４の一方の出力側と接続された端子Ｔ１２と、分配器４６の一方の出力側と接続された端子Ｔ１３とを有しており、コネクタ４８を介して制御部３１から供給される制御信号Ａによって、端子Ｔ１１との接続が端子Ｔ１２と端子Ｔ１３とのどちらか一方に切り換わる構成とされている。
【００８５】
スイッチＳＷ２の端子Ｔ１１と端子Ｔ１２とが接続されている場合には、分配器４４の一方の出力側から出力された信号が混合器４７の一方の入力側に供給される。スイッチＳＷ２の端子Ｔ１１と端子Ｔ１３とが接続されている場合には、分配器４６の一方の出力側から出力された信号が混合器４７の一方の入力側に供給される。
【００８６】
スイッチＳＷ３は、混合器４７の他方の入力側への入力を、分配器４４の他方の出力側と分配器４６の他方の出力側とのどちらか一方に切り換えるものである。なお、この例では、スイッチＳＷ３は、混合器４７の他方の入力側と接続された端子Ｔ２１と、分配器４４の他方の出力側と接続された端子Ｔ２２と、分配器４６の他方の出力側と接続された端子Ｔ２３とを有しており、コネクタ４８を介して制御部３１から供給される制御信号Ｂによって、端子Ｔ２１との接続が端子Ｔ２２と端子Ｔ２３とのどちらか一方に切り換わる構成とされている。
【００８７】
スイッチＳＷ３の端子Ｔ２１と端子Ｔ２２とが接続されている場合には、分配器４４の他方の出力側から出力された信号が混合器４７の他方の入力側に供給される。スイッチＳＷ３の端子Ｔ２１と端子Ｔ２３とが接続されている場合には、分配器４６の他方の出力側から出力された信号が混合器４７の他方の入力側に供給される。
【００８８】
混合器４７は、衛星放送の帯域信号と地上放送の帯域信号とを混合するものであり、分配器４４の一方の出力側または分配器４６の一方の出力側から供給される信号と、分配器４４の他方の出力側または分配器４６の他方の出力側から供給される信号とを混合する。混合器４７で混合された信号は、出力端子４９から出力され、ユニバーサルフロントエンド２０の入力端子２１に入力される。
【００８９】
なお、第２の実施形態では、混合器４７と分波器２２によって、入力端子切換回路４０とユニバーサルフロントエンド２０との間を１軸で伝送する構成としているが、出力端子４９と入力端子２１をそれぞれ２つ設け、分配器４４，４６の一方の出力側から出力された信号のうち、スイッチＳＷ２によって選択された方を衛星デジタルチューナ部２３に供給し、分配器４４，４６の他方の出力側から出力された信号のうち、スイッチＳＷ３によって選択された方を地上アナログ／デジタルチューナ部２５に供給する２軸伝送の構成としてもよい。また、スイッチＳＷ２とスイッチＳＷ３をユニバーサルフロントエンド２０側に設け、ユニバーサルフロントエンド２０側で入力の切り換えを行う構成としてもよい。さらには、入力端子切換回路４０とユニバーサルフロントエンド２０とを別々に構成せずに、一体的な構成としてもよい。
【００９０】
ユニバーサルフロントエンド２０は、上述した第１の実施形態と同様の構成とされている。すなわち、ユニバーサルフロントエンド２０は、コネクタ２７を介して各放送信号の有無を判定するための検出信号を制御部３１に供給する。衛星デジタル放送信号の有無を判定するための検出信号は、衛星デジタル復調・復号部２４から制御部３１に供給される。地上アナログテレビジョン放送信号の有無を判定するための検出信号は、地上アナログ／デジタルチューナ部２５から制御部３１に供給される。地上デジタルテレビジョン放送信号の有無を判定するための検出信号は、地上デジタル復調・復号部２６から制御部３１に供給される。なお、検出信号の供給先が制御部３１になること以外は、上述した第１の実施形態と同様であり、ここでは説明を省略する。
【００９１】
制御部３１は、マイクロコンピュータ等から構成されており、受信装置の全体または一部の制御を行っている。なお、制御部３１と入力端子切換回路４０およびユニバーサルフロントエンド２０とは、別々な構成とされているが、制御部３１と入力端子切換回路４０またはユニバーサルフロントエンド２０とを一体的な構成としてもよい。
【００９２】
制御部３１は、コネクタ２７を介してユニバーサルフロントエンド２０から供給される検出信号に基づいて、衛星デジタル放送、地上アナログテレビジョン放送、地上デジタルテレビジョン放送の中で受信可能な放送を判定する。制御部３１は、衛星デジタル復調・復号部２４から検出信号が供給された場合には、衛星デジタル放送が受信可能であると判定し、地上アナログ／デジタルチューナ部２５から検出信号が供給された場合には、地上アナログテレビジョン放送が受信可能であると判定し、地上デジタル復調・復号部２６から検出信号が供給された場合には、地上デジタルテレビジョン放送が受信可能であると判定する。なお、これら判定は、単発的な検出信号の供給に限らず、連続的な供給によって受信可能であるとしてもよい。
【００９３】
また、制御部３１は、受信可能な放送の判定結果に基づき、スイッチＳＷ２，ＳＷ３を切換制御するための制御信号Ａ，Ｂを生成する。生成した制御信号Ａ，Ｂは、それぞれ、コネクタ４８を介してスイッチＳＷ２，ＳＷ３に供給される。これによって、スイッチＳＷ２は、制御部３１からの制御信号Ａに基づき接続を切り換え、スイッチＳＷ３は、制御部３１からの制御信号Ｂに基づき接続を切り換える。
【００９４】
また、制御部３１は、衛星放送の検出信号と地上放送の検出信号が両方とも供給されない場合には、所定時間間隔でスイッチＳＷ２，ＳＷ３の接続をそれぞれ切換制御し、両方の放送の受信が可能であるかを試みる。そして、制御部３１は、より多くの種類の検出信号が供給されるように、スイッチＳＷ２，ＳＷ３の接続を切り換える。また、ユニバーサルフロントエンド２０から何れの検出信号も供給されていない状態が所定時間だけ続いた場合には、制御部３１は、何れの放送も受信できない旨を、図示しない画面等のユーザインタフェースを通じてユーザに提示する。
【００９５】
すなわち、第２の実施形態による受信装置は、放送信号が検出されない場合に、その旨をユーザに提示する提示機能と、所定の時間間隔でスイッチを切り換えて放送信号の有無を確認する機能とを有している。
【００９６】
表２は、第１の入力端子４１と第２の入力端子４２とに供給される放送信号の主な形態を示す。以下、表２に示す形態での受信装置の動作について説明する。
【００９７】
【表２】
2006197446.tif 000004
【００９８】
表２に示す接続例１では、入力端子４１にＢＳ・ＣＳ信号が供給されるケーブルが接続され、入力端子４２にＵ・Ｖ信号が供給されるケーブルが接続されている。
【００９９】
この場合、制御部３１は、より多くの種類の検出信号が供給されるように、スイッチＳＷ２を端子Ｔ１１と端子Ｔ１２とが接続されるように切換制御し、スイッチＳＷ３を端子Ｔ２１と端子Ｔ２３とが接続されるように切換制御する。これによって、ユニバーサルフロントエンド２０から制御部３１に、衛星放送と地上放送の検出信号が供給される。制御部３１は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【０１００】
接続例２では、入力端子４１にＵ・Ｖ信号が供給されるケーブルが接続され、入力端子４２にＢＳ・ＣＳ信号が供給されるケーブルが接続されている。
【０１０１】
この場合、制御部３１は、より多くの種類の検出信号が供給されるように、スイッチＳＷ２を端子Ｔ１１と端子Ｔ１３とが接続されるように切換制御し、スイッチＳＷ３を端子Ｔ２１と端子Ｔ２２とが接続されるように切換制御する。これによって、ユニバーサルフロントエンド２０から制御部３１に、衛星放送と地上放送の検出信号が供給される。制御部３１は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【０１０２】
接続例３では、入力端子４１にのみ、ＢＳ・ＣＳ信号とＵ・Ｖ信号とが混合された１軸伝送システム信号が供給されるケーブルが接続されている。
【０１０３】
この場合、制御部３１は、より多くの種類の検出信号が供給されるように、スイッチＳＷ２を端子Ｔ１１と端子Ｔ１２とが接続されるように切換制御し、スイッチＳＷ３を端子Ｔ２１と端子Ｔ２２とが接続されるように切換制御する。これによって、ユニバーサルフロントエンド２０から制御部３１に、衛星放送と地上放送の検出信号が供給される。制御部３１は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【０１０４】
接続例４では、入力端子４２にのみ、ＢＳ・ＣＳ信号とＵ・Ｖ信号とが混合された１軸伝送システム信号が供給されるケーブルが接続されている。
【０１０５】
この場合、制御部３１は、より多くの種類の検出信号が供給されるように、スイッチＳＷ２を端子Ｔ１１と端子Ｔ１３とが接続されるように切換制御し、スイッチＳＷ３を端子Ｔ２１と端子Ｔ２３とが接続されるように切換制御する。これによって、ユニバーサルフロントエンド２０から制御部３１に、衛星放送と地上放送の検出信号が供給される。制御部３１は、ユニバーサルフロントエンド２０から供給される衛星放送と地上放送の検出信号によって、衛星放送と地上放送の両方が受信可能であると判定する。これにより、地上放送と衛星放送の両方が受信可能となる。
【０１０６】
これらのことから、第２の実施形態の受信装置によれば、衛星放送信号、地上放送信号および１軸伝送システム信号の何れかが供給されるケーブルを入力端子４１，４２のどちらに接続しても、接続したケーブルに供給されている放送信号を受信することができる。よって、ユーザは、壁面コンセント等に供給されている信号が１軸伝送システム信号であるか否かを意識しなくても、容易且つ正しくケーブルを接続することができる。
【０１０７】
第１および第２の実施形態による受信装置は、１つのユニバーサルフロントエンド２０を有するシングルフロントエンドの構成であったが、２つのユニバーサルフロントエンドを有するダブルユニバーサルフロントエンドの構成についてもこの発明を適用することができる。以下に説明する第３の実施形態は、ダブルユニバーサルフロントエンドの構成に適用したものである。
【０１０８】
図３は、この発明の第３の実施形態による受信システムの構成の一例を示す。第３の実施形態による受信装置は、入力端子切換回路５０とユニバーサルフロントエンド２０ａ，２０ｂと制御部３２とを有している。
【０１０９】
入力端子切換回路５０は、入力端子５１，５２、アンプ５３，５５、分配器５７，５８，５９，６０、スイッチＳＷ４，ＳＷ５，ＳＷ６，ＳＷ７、混合器６１，６２、コネクタ６３および出力端子６４，６５を有している。
【０１１０】
入力端子５１と入力端子５２は、共にＳＨＦ帯（１２ＧＨｚ帯）を使用して送信される衛星放送信号（ＢＳ・ＣＳ信号）とＶＨＦ（９０ＭＨｚ〜２２０ＭＨｚ）／ＵＨＦ（４４０ＭＨｚ〜７７０ＭＨｚ）帯を使用して送信される地上放送信号（Ｕ・Ｖ信号）の入力に対応した端子である。入力端子５１と入力端子５２は、共に例えばＦ型コネクタのレセプタクルで構成されており、同じコネクタ形状を有している。
【０１１１】
入力端子５１から入力された信号は、アンプ５３に供給される。アンプ５３は、入力端子５１から供給された信号を増幅する。アンプ５３で増幅された信号は、分配器５４に供給される。分配器５４は、アンプ５３から供給された信号を２分配する。分配器５４の一方の出力側から出力された信号は、分配器５７に供給され、分配器５４の他方の出力側から出力された信号は、分配器５９に供給される。
【０１１２】
一方、入力端子５２から入力された信号は、アンプ５５に供給される。アンプ５５は、入力端子５２から供給された信号を増幅する。アンプ５５で増幅された信号は、分配器５６に供給される。分配器５６は、アンプ５５から供給された信号を２分配する。分配器５６の一方の出力側から出力された信号は、分配器５８に供給され、分配器５６の他方の出力側から出力された信号は、分配器６０に供給される。
【０１１３】
スイッチＳＷ４は、混合器６１の一方の入力側への入力を、分配器５７の一方の出力側と分配器５８の一方の出力側とのどちらか一方に切り換えるものである。なお、この例では、スイッチＳＷ４は、混合器６１の一方の入力側と接続された端子Ｔ３１と、分配器５７の一方の出力側と接続された端子Ｔ３２と、分配器５８の一方の出力側と接続された端子Ｔ３３とを有しており、コネクタ６３を介して制御部３２から供給される制御信号Ａによって、端子Ｔ３１との接続が端子Ｔ３２と端子Ｔ３３とのどちらか一方に切り換わる構成とされている。
【０１１４】
スイッチＳＷ４の端子Ｔ３１と端子Ｔ３２とが接続されている場合には、分配器５７の一方の出力側から出力された信号が混合器６１の一方の入力側に供給される。スイッチＳＷ４の端子Ｔ３１と端子Ｔ３３とが接続されている場合には、分配器５８の一方の出力側から出力された信号が混合器６１の一方の入力側に供給される。
【０１１５】
スイッチＳＷ５は、混合器６１の他方の入力側への入力を、分配器５７の他方の出力側と分配器５８の他方の出力側とのどちらか一方に切り換えるものである。なお、この例では、スイッチＳＷ５は、混合器６１の他方の入力側と接続された端子Ｔ４１と、分配器５７の他方の出力側と接続された端子Ｔ４２と、分配器５８の他方の出力側と接続された端子Ｔ４３とを有しており、コネクタ６３を介して制御部３２から供給される制御信号Ｂによって、端子Ｔ４１との接続が端子Ｔ４２と端子Ｔ４３とのどちらか一方に切り換わる構成とされている。
【０１１６】
スイッチＳＷ５の端子Ｔ４１と端子Ｔ４２とが接続されている場合には、分配器５７の他方の出力側から出力された信号が混合器６１の他方の入力側に供給される。スイッチＳＷ５の端子Ｔ４１と端子Ｔ４３とが接続されている場合には、分配器５８の他方の出力側から出力された信号が混合器６１の他方の入力側に供給される。
【０１１７】
スイッチＳＷ６は、混合器６２の一方の入力側への入力を、分配器５９の一方の出力側と分配器６０の一方の出力側とのどちらか一方に切り換えるものである。なお、この例では、スイッチＳＷ６は、混合器６２の一方の入力側と接続された端子Ｔ５１と、分配器５９の一方の出力側と接続された端子Ｔ５２と、分配器６０の一方の出力側と接続された端子Ｔ５３とを有しており、コネクタ６３を介して制御部３２から供給される制御信号Ｃによって、端子Ｔ５１との接続が端子Ｔ５２と端子Ｔ５３とのどちらか一方に切り換わる構成とされている。
【０１１８】
スイッチＳＷ６の端子Ｔ５１と端子Ｔ５２とが接続されている場合には、分配器５９の一方の出力側から出力された信号が混合器６２の一方の入力側に供給される。スイッチＳＷ６の端子Ｔ５１と端子Ｔ５３とが接続されている場合には、分配器６０の一方の出力側から出力された信号が混合器６２の一方の入力側に供給される。
【０１１９】
スイッチＳＷ７は、混合器６２の他方の入力側への入力を、分配器５９の他方の出力側と分配器６０の他方の出力側とのどちらか一方に切り換えるものである。なお、この例では、スイッチＳＷ７は、混合器６２の他方の入力側と接続された端子Ｔ６１と、分配器５９の他方の出力側と接続された端子Ｔ６２と、分配器６０の他方の出力側と接続された端子Ｔ６３とを有しており、コネクタ６３を介して制御部３２から供給される制御信号Ｄによって、端子Ｔ６１との接続が端子Ｔ６２と端子Ｔ６３とのどちらか一方に切り換わる構成とされている。
【０１２０】
スイッチＳＷ７の端子Ｔ６１と端子Ｔ６２とが接続されている場合には、分配器５９の他方の出力側から出力された信号が混合器６２の他方の入力側に供給される。スイッチＳＷ７の端子Ｔ６１と端子Ｔ６３とが接続されている場合には、分配器６０の他方の出力側から出力された信号が混合器６２の他方の入力側に供給される。
【０１２１】
混合器６１，６２は、衛星放送の帯域信号と地上放送の帯域信号とを混合するものである。混合器６１は、分配器５７の一方の出力側または分配器５８の一方の出力側から供給される信号と、分配器５７の他方の出力側または分配器５８の他方の出力側から供給される信号とを混合する。混合器６１で混合された信号は、第１の出力端子６４から出力され、ユニバーサルフロントエンド２０ａの入力端子２１ａに入力される。
【０１２２】
混合器６２は、分配器５９の一方の出力側または分配器６０の一方の出力側から供給される信号と、分配器５９の他方の出力側または分配器６０の他方の出力側から供給される信号とを混合する。混合器６２で混合された信号は、第２の出力端子６５から出力され、ユニバーサルフロントエンド２０ｂの入力端子２１ｂに入力される。
【０１２３】
なお、第３の実施形態では、混合器６１と分波器２２ａによって、入力端子切換回路５０とユニバーサルフロントエンド２０ａとの間を１軸で伝送する構成としているが、出力端子６４と入力端子２１ａをそれぞれ２つ設け、分配器５７，５８の一方の出力側から出力された信号のうち、スイッチＳＷ４によって選択された方を衛星デジタルチューナ部２３ａに供給し、分配器４４，４６の他方の出力側から出力された信号のうち、スイッチＳＷ５によって選択された方を地上アナログ／デジタルチューナ部２５ａに供給する２軸伝送の構成としてもよい。
【０１２４】
また、混合器６２と分波器２２ｂによって、入力端子切換回路５０とユニバーサルフロントエンド２０ｂとの間を１軸で伝送する構成としているが、出力端子６５と入力端子２１ｂをそれぞれ２つ設け、分配器５９，６０の一方の出力側から出力された信号のうち、スイッチＳＷ６によって選択された方を衛星デジタルチューナ部２３ｂに供給し、分配器５９，６０の他方の出力側から出力された信号のうち、スイッチＳＷ７によって選択された方を地上アナログ／デジタルチューナ部２５ｂに供給する２軸伝送の構成としてもよい。
【０１２５】
また、スイッチＳＷ４，ＳＷ５をユニバーサルフロントエンド２０ａ側に設け、ユニバーサルフロントエンド２０ａ側で入力の切り換えを行う構成としてもよい。スイッチＳＷ６，ＳＷ７をユニバーサルフロントエンド２０ｂ側に設け、ユニバーサルフロントエンド２０ｂ側で入力の切り換えを行う構成としてもよい。
【０１２６】
また、ユニバーサルフロントエンド２０ａ，２０ｂを別々に構成せずに、一体的な構成としてもよい。さらには、入力端子切換回路５０とユニバーサルフロントエンド２０ａ，２０ｂとを別々に構成せずに、一体的な構成としてもよい。
【０１２７】
ユニバーサルフロントエンド２０ａ，２０ｂは、共に上述した第１の実施形態と同様の構成とされている。すなわち、ユニバーサルフロントエンド２０ａは、コネクタ２７ａを介して各放送信号の有無を判定するための検出信号を制御部３２に供給する。衛星デジタル放送信号の有無を判定するための検出信号は、衛星デジタル復調・復号部２４ａから制御部３２に供給される。地上アナログテレビジョン放送信号の有無を判定するための検出信号は、地上アナログ／デジタルチューナ部２５ａから制御部３２に供給される。地上デジタルテレビジョン放送信号の有無を判定するための検出信号は、地上デジタル復調・復号部２６ａから制御部３２に供給される。
【０１２８】
また、ユニバーサルフロントエンド２０ｂは、コネクタ２７ｂを介して各放送信号の有無を判定するための検出信号を制御部３２に供給する。衛星デジタル放送信号の有無を判定するための検出信号は、衛星デジタル復調・復号部２４ｂから制御部３２に供給される。地上アナログテレビジョン放送信号の有無を判定するための検出信号は、地上アナログ／デジタルチューナ部２５ｂから制御部３２に供給される。地上デジタルテレビジョン放送信号の有無を判定するための検出信号は、地上デジタル復調・復号部２６ｂから制御部３２に供給される。なお、ユニバーサルフロントエンド２０ａ，２０ｂは、検出信号の供給先が制御部３２になること以外は、上述した第１の実施形態のユニバーサルフロントエンド２０と同様であり、ここでは説明を省略する。
【０１２９】
制御部３２は、マイクロコンピュータ等から構成されており、受信装置の全体または一部の制御を行っている。なお、制御部３２と入力端子切換回路５０およびユニバーサルフロントエンド２０ａ，２０ｂとは、別々な構成とされているが、制御部３２と入力端子切換回路５０またはユニバーサルフロントエンド２０ａ，２０ｂとを一体的な構成としてもよい。
【０１３０】
制御部３２は、コネクタ２７ａを介してユニバーサルフロントエンド２０ａから供給される検出信号に基づいて、衛星デジタル放送、地上アナログテレビジョン放送、地上デジタルテレビジョン放送の中でユニバーサルフロントエンド２０ａが受信可能な放送を判定する。制御部３２は、衛星デジタル復調・復号部２４ａから検出信号が供給された場合には、ユニバーサルフロントエンド２０ａが衛星デジタル放送を受信可能であると判定し、地上アナログ／デジタルチューナ部２５ａから検出信号が供給された場合には、ユニバーサルフロントエンド２０ａが地上アナログテレビジョン放送を受信可能であると判定し、地上デジタル復調・復号部２６ａから検出信号が供給された場合には、ユニバーサルフロントエンド２０ａが地上デジタルテレビジョン放送を受信可能であると判定する。なお、これら判定は、単発的な検出信号の供給に限らず、連続的な供給によって受信可能であるとしてもよい。
【０１３１】
また、制御部３２は、コネクタ２７ｂを介してユニバーサルフロントエンド２０ｂから供給される検出信号に基づいて、衛星デジタル放送、地上アナログテレビジョン放送、地上デジタルテレビジョン放送の中でユニバーサルフロントエンド２０ｂが受信可能な放送を判定する。制御部３２は、衛星デジタル復調・復号部２４ｂから検出信号が供給された場合には、ユニバーサルフロントエンド２０ｂが衛星デジタル放送を受信可能であると判定し、地上アナログ／デジタルチューナ部２５ｂから検出信号が供給された場合には、ユニバーサルフロントエンド２０ｂが地上アナログテレビジョン放送を受信可能であると判定し、地上デジタル復調・復号部２６ｂから検出信号が供給された場合には、ユニバーサルフロントエンド２０ｂが地上デジタルテレビジョン放送を受信可能であると判定する。なお、これら判定は、単発的な検出信号の供給に限らず、連続的な供給によって受信可能であるとしてもよい。
【０１３２】
また、制御部３２は、ユニバーサルフロントエンド２０ａで受信可能な放送の判定結果に基づき、スイッチＳＷ４，ＳＷ５を切換制御するための制御信号Ａ，Ｂを生成する。また、制御部３２は、ユニバーサルフロントエンド２０ｂで受信可能な放送の判定結果に基づき、スイッチＳＷ６，ＳＷ７を切換制御するための制御信号Ｃ，Ｄを生成する。制御部３２が生成した制御信号Ａ，Ｂ，Ｃ，Ｄは、それぞれ、コネクタ６３を介してスイッチＳＷ４，ＳＷ５，ＳＷ６，ＳＷ７に供給される。これによって、スイッチＳＷ４は、制御部３２からの制御信号Ａに基づき接続を切り換え、スイッチＳＷ５は、制御部３２からの制御信号Ｂに基づき接続を切り換え、スイッチＳＷ６は、制御部３２からの制御信号Ｃに基づき接続を切り換え、スイッチＳＷ７は、制御部３２からの制御信号Ｄに基づき接続を切り換える。
【０１３３】
また、制御部３２は、ユニバーサルフロントエンド２０ａから衛星放送の検出信号と地上放送の検出信号が両方とも供給されない場合には、所定時間間隔でスイッチＳＷ４，ＳＷ５の接続を切換制御し、両方の放送の受信が可能であるかを試みる。そして、制御部３２は、より多くの種類の検出信号が供給されるように、スイッチＳＷ４，ＳＷ５の接続を切り換える。また、ユニバーサルフロントエンド２０ａから何れの検出信号も供給されていない状態が所定時間だけ続いた場合には、制御部３２は、ユニバーサルフロントエンド２０ａで何れの放送も受信できない旨を、図示しない画面等のユーザインタフェースを通じてユーザに提示する。
【０１３４】
また、制御部３２は、ユニバーサルフロントエンド２０ｂから衛星放送の検出信号と地上放送の検出信号が両方とも供給されない場合には、所定時間間隔でスイッチＳＷ６，ＳＷ７の接続を切換制御し、両方の放送の受信が可能であるかを試みる。そして、制御部３２は、より多くの種類の検出信号が供給されるように、スイッチＳＷ６，ＳＷ７の接続を切り換える。また、ユニバーサルフロントエンド２０ｂから何れの検出信号も供給されていない状態が所定時間だけ続いた場合には、制御部３２は、ユニバーサルフロントエンド２０ｂで何れの放送も受信できない旨を、図示しない画面等のユーザインタフェースを通じてユーザに提示する。
【０１３５】
すなわち、第３の実施形態による受信装置は、放送信号が検出されない場合に、その旨をユーザに提示する提示機能と、所定の時間間隔でスイッチを切り換えて放送信号の有無を確認する機能とを有している。
【０１３６】
表３は、第１の入力端子５１と第２の入力端子５２とに供給される放送信号の主な形態を示す。以下、表３に示す形態での受信装置の動作について説明する。
【０１３７】
【表３】
2006197446.tif 000005
【０１３８】
接続例１では、入力端子５１にＢＳ・ＣＳ信号が供給されるケーブルが接続され、入力端子５２にＵ・Ｖ信号が供給されるケーブルが接続されている。
【０１３９】
この場合、制御部３２は、より多くの種類の検出信号が供給されるように、スイッチＳＷ４を端子Ｔ３１と端子Ｔ３２とが接続されるように切換制御し、スイッチＳＷ５を端子Ｔ４１と端子Ｔ４３とが接続されるように切換制御する。また、スイッチＳＷ６を端子Ｔ５１と端子Ｔ５２とが接続されるように切換制御し、スイッチＳＷ７を端子Ｔ６１と端子Ｔ６３とが接続されるように切換制御する。これによって、ユニバーサルフロントエンド２０ａ，２０ｂの両方から制御部３２に、衛星放送と地上放送の検出信号が供給される。制御部３２は、ユニバーサルフロントエンド２０ａ，２０ｂからそれぞれ供給される衛星放送と地上放送の検出信号によって、衛星放送と地上放送の両方がユニバーサルフロントエンド２０ａ，２０ｂで受信可能であると判定する。これにより、ユニバーサルフロントエンド２０ａ，２０ｂのそれぞれで地上放送と衛星放送の両方が受信可能となる。
【０１４０】
接続例２では、入力端子５１にＵ・Ｖ信号が供給されるケーブルが接続され、入力端子５２にＢＳ・ＣＳ信号が供給されるケーブルが接続されている。
【０１４１】
この場合、制御部３２は、より多くの種類の検出信号が供給されるように、スイッチＳＷ４を端子Ｔ３１と端子Ｔ３３とが接続されるように切換制御し、スイッチＳＷ５を端子Ｔ４１と端子Ｔ４２とが接続されるように切換制御する。また、スイッチＳＷ６を端子Ｔ５１と端子Ｔ５３とが接続されるように切換制御し、スイッチＳＷ７を端子Ｔ６１と端子Ｔ６２とが接続されるように切換制御する。これによって、ユニバーサルフロントエンド２０ａ，２０ｂの両方から制御部３２に、衛星放送と地上放送の検出信号が供給される。制御部３２は、ユニバーサルフロントエンド２０ａ，２０ｂからそれぞれ供給される衛星放送と地上放送の検出信号によって、衛星放送と地上放送の両方がユニバーサルフロントエンド２０ａ，２０ｂで受信可能であると判定する。これにより、ユニバーサルフロントエンド２０ａ，２０ｂのそれぞれで地上放送と衛星放送の両方が受信可能となる。
【０１４２】
接続例３では、入力端子５１にのみ、ＢＳ・ＣＳ信号とＵ・Ｖ信号とが混合された１軸伝送システム信号が供給されるケーブルが接続されている。
【０１４３】
この場合、制御部３２は、スイッチＳＷ４を端子Ｔ３１と端子Ｔ３２とが接続されるように切換制御し、スイッチＳＷ５を端子Ｔ４１と端子Ｔ４２とが接続されるように切換制御する。また、スイッチＳＷ６を端子Ｔ５１と端子Ｔ５２とが接続されるように切換制御し、スイッチＳＷ７を端子Ｔ６１と端子Ｔ６２とが接続されるように切換制御する。これによって、ユニバーサルフロントエンド２０ａ，２０ｂの両方から制御部３２に、衛星放送と地上放送の検出信号が供給される。制御部３２は、ユニバーサルフロントエンド２０ａ，２０ｂからそれぞれ供給される衛星放送と地上放送の検出信号によって、衛星放送と地上放送の両方がユニバーサルフロントエンド２０ａ，２０ｂで受信可能であると判定する。これにより、ユニバーサルフロントエンド２０ａ，２０ｂのそれぞれで地上放送と衛星放送の両方が受信可能となる。
【０１４４】
接続例４では、入力端子５２にのみ、ＢＳ・ＣＳ信号とＵ・Ｖ信号とが混合された１軸伝送システム信号が供給されるケーブルが接続されている。
【０１４５】
この場合、制御部３２は、スイッチＳＷ４を端子Ｔ３１と端子Ｔ３３とが接続されるように切換制御し、スイッチＳＷ５を端子Ｔ４１と端子Ｔ４３とが接続されるように切換制御する。また、スイッチＳＷ６を端子Ｔ５１と端子Ｔ５３とが接続されるように切換制御し、スイッチＳＷ７を端子Ｔ６１と端子Ｔ６３とが接続されるように切換制御する。これによって、ユニバーサルフロントエンド２０ａ，２０ｂの両方から制御部３２に、衛星放送と地上放送の検出信号が供給される。制御部３２は、ユニバーサルフロントエンド２０ａ，２０ｂからそれぞれ供給される衛星放送と地上放送の検出信号によって、衛星放送と地上放送の両方がユニバーサルフロントエンド２０ａ，２０ｂで受信可能であると判定する。これにより、ユニバーサルフロントエンド２０ａ，２０ｂのそれぞれで地上放送と衛星放送の両方が受信可能となる。
【０１４６】
これらのことから、第３の実施形態の受信装置によれば、衛星放送信号、地上放送信号および１軸伝送システム信号の何れかが供給されるケーブルを入力端子５１，５２のどちらに接続しても、接続したケーブルに供給されている放送信号をユニバーサルフロントエンド２０ａ，２０ｂで受信することができる。よって、ユーザは、壁面コンセント等に供給されている信号が１軸伝送システム信号であるか否かを意識しなくても、容易且つ正しくケーブルを接続することができる。
【０１４７】
この発明は、上述したこの発明の実施形態に限定されるものでは無く、この発明の要旨を逸脱しない範囲内で様々な変形や応用が可能である。例えば、上述した第１から第３の実施形態では、衛星放送と地上放送の検出信号が両方とも得られない場合に、より多くの検出信号が得られるようにスイッチを切り換えるとしたが、スイッチの切り換えは、これに限ったものではなく、例えば、予め設定されている接続条件と実際に得られる信号とを比較した結果に基づき切り換えるとしてもよい。
【０１４８】
また、上述した第１から第３の実施形態では、ＢＳ・１１０度ＣＳデジタル放送と地上アナログ／デジタルテレビジョン放送を受信する場合について説明したが、２つの入力端子から信号を入力して受信する放送の組み合わせは、これに限らず、例えば、東経１２４度および１２８度ＣＳデジタル放送、ＣＡＴＶ等を交えた他の組み合わせたものであってもよい。また、上述した実施形態では２つの入力端子を備える構成について説明したが、２つ以上の入力端子を備える受信装置についても適用できる。
【０１４９】
また、上述した第１から第３の実施形態では、複数の放送信号を受信するチューナ部と復調部等とで構成されるユニバーサルフロントエンドによってフロントエンド部を構成したが、これに限らず、フロントエンド部は、個別のチューナ部と復調部等とで構成してもよい。
【０１５０】
また、上述した第２の実施形態の入力端子切換回路４０を構成する分配器４４，４６および第３の実施形態の入力端子切換回路５０を構成する分配器５４，５６，５７，５８，５９，６０は、分岐器であってもよい。
【０１５１】
また、上述した第１および第２の実施形態は、シングルユニバーサルフロントエンドの構成について説明し、第３の実施形態はダブルユニバーサルフロントエンドの構成について説明したが、これに限らず３つ以上のユニバーサルフロントエンドを備える受信装置についても適用することができる。
【図面の簡単な説明】
【０１５２】
【図１】第１の実施形態による受信装置の構成の一例を示すブロック図である。
【図２】第２の実施形態による受信装置の構成の一例を示すブロック図である。
【図３】第３の実施形態による受信装置の構成の一例を示すブロック図である。
【図４】受信システムの接続形態を説明するための図である。
【図５】１軸伝送システムでのケーブルの引き込みを説明するための図である。
【図６】受信システムの接続形態を説明するための図である。
【図７】受信システムの接続形態を説明するための図である。
【符号の説明】
【０１５３】
１０，４０，５０・・・入力端子切換回路
１１，１２，４１，４２，５１，５２・・・入力端子
１３・・・分波器
２０，２０ａ，２０ｂ・・・ユニバーサルフロントエンド
２３，２３ａ，２３ｂ・・・衛星デジタルチューナ部
２４，２４ａ，２４ｂ・・・衛星デジタル復調・復号部
２５、２５ａ、２５ｂ・・・地上アナログ／デジタルチューナ部
２６，２６ａ，２６ｂ・・・地上デジタル復調・復号部
３０，３１，３２・・・制御部
４４，４６，５４，５６，５７，５８，５９，６０・・・分配器
ＳＷ１，ＳＷ２，ＳＷ３，ＳＷ４，ＳＷ５，ＳＷ６，ＳＷ７・・・スイッチ
【図１】
2006197446.tif 000006
【図２】
2006197446.tif 000007
【図３】
2006197446.tif 000008
【図４】
2006197446.tif 000009
【図５】
2006197446.tif 000010
【図６】
2006197446.tif 000011
【図７】
2006197446.tif 000012